(57)【要約】      （修正有）【課題】衝撃や振動等により蓋部が開くことのないプリンタ装置を提供する。【解決手段】プリンタ本体部１０とプリンタ本体部に回転軸２０ａを中心に回転可能な状態で取付けられた支持部２０と支持部に設けられたプラテンユニット３０とプラテンユニットに設けられているプラテンローラ３１とプラテンローラを回転可能な状態で支持する軸受３２を有し、軸受には突起部３２ａが設けられ、プリンタ本体部にはプラテンローラの軸受が入ることのできる開口部１１が設けられ、開口部の入口には凸部１２が設けられ、プリンタ本体部にプラテンユニットが入っている状態では軸受における突起部とプリンタ本体部における凸部とが接触しているものであって、突起部と凸部との接触を外す際に軸受を回転させる回転方向と、プリンタ本体部よりプラテンユニットを出す際に、回転軸を中心に支持部を回転させる回転方向が、同じ回転方向であることを特徴とする。【選択図】図１
2014200932.tif 000002
【特許請求の範囲】
【請求項１】
プリンタ本体部と、
前記プリンタ本体部に回転軸を中心に回転可能な状態で取り付けられた支持部と、
前記支持部に設けられたプラテンユニットと、
前記プラテンユニットに設けられているプラテンローラと、
前記プラテンローラを回転可能な状態で支持する軸受と、
を有し、
前記軸受には突起部が設けられており、
前記プリンタ本体部には、前記プラテンローラの軸受が入ることのできる開口部が設けられており、
前記開口部の入り口には、凸部が設けられており、
前記プリンタ本体部に前記プラテンユニットが入っている状態においては、前記軸受における突起部と前記プリンタ本体部における凸部とが接触しているものであって、
前記突起部と前記凸部との接触を外す際に、前記軸受を回転させる回転方向と、
前記プリンタ本体部より前記プラテンユニットを出す際に、前記回転軸を中心に前記支持部を回転させる回転方向が、同じ回転方向であることを特徴とするプリンタ装置。
【請求項２】
前記プラテンユニットには、操作レバーが設けられており、
前記操作レバーに力を加えることにより、前記突起部と前記凸部との接触を外すことができ、更には、前記プリンタ本体部より前記プラテンユニットを出すことができるものであることを特徴とする請求項１に記載のプリンタ装置。
【請求項３】
前記プリンタ本体部には、バネが設けられており、
前記バネは、前記突起部と前記凸部とが接触している状態において、前記開口部に入っている前記軸受を前記開口部の外側に出す方向に力を加えるものであること特徴とする請求項１または２に記載のプリンタ装置。
【請求項４】
前記軸受における突起部と、前記支持部との間には、バネが設けられており、
前記バネは、前記突起部と前記凸部とが接触している状態において、前記バネは伸びる方向に力が働くものであることを特徴とする請求項１または２に記載のプリンタ装置。
【請求項５】
プリンタ本体部と、
前記プリンタ本体部に回転軸を中心に回転可能な状態で取り付けられた支持部と、
前記支持部に設けられたプラテンユニットと、
前記プラテンユニットに設けられているプラテンローラと、
前記プラテンローラを回転可能な状態で支持する軸受と、
を有し、
前記軸受には突起部が設けられており、
前記プリンタ本体部には、前記プラテンローラの軸受が入ることのできる開口部が設けられており、
前記開口部の入り口には、凸部が設けられており、
前記プリンタ本体部に前記プラテンユニットが入っている状態においては、前記軸受における突起部と前記プリンタ本体部における凸部とが接触しているプリンタ装置の操作方法において、
前記軸受を回転させることにより、前記突起部と前記凸部との接触を外す第１の工程と、
前記突起部と前記凸部との接触を外した後、前記回転軸を中心に前記支持部を回転させることにより、前記プリンタ本体部より前記プラテンユニットを出す第２の工程と、
を有し、
前記第１の工程における前記軸受を回転させる回転方向と、前記第２の工程における前記回転軸を中心に前記支持部を回転させる回転方向とは、同じ回転方向であることを特徴とするプリンタ装置の操作方法。
【請求項６】
前記プラテンユニットには、操作レバーが設けられており、
前記第１の工程及び前記第２の工程は、ともに前記操作レバーに力を加えることにより行うことができるものであることを特徴とする請求項５に記載のプリンタ装置の操作方法。
【発明の詳細な説明】
【技術分野】
【０００１】
本発明は、プリンタ装置及びプリンタ装置の操作方法に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、サーマルヘッド等による印字がなされる。
【先行技術文献】
【特許文献】
【０００４】
【特許文献１】特許第２５８５７６９号公報
【特許文献２】特開平７−６８８６６号公報
【特許文献３】特開２００３−２４６１０４号公報
【発明の概要】
【発明が解決しようとする課題】
【０００５】
ところで、上述したプリンタ装置において、記録紙等の交換を行う際、サーマルヘッドからプラテンローラを離した後に、蓋部を開くことにより行われる場合、一般的には、記録紙の交換に時間を要し、利便性は良好とはいえない。
【０００６】
また、利便性を高めるため、容易に蓋部が開閉可能となるような構造である場合には、衝撃や振動等により、意図することなく蓋部が開いてしまい、プリンタ装置を使用する際に支障をきたす。よって、簡単な構造であって、人為的には蓋部の開閉が容易に行うことができるものの、衝撃や振動等により蓋部が開くことのない構造のプリンタ装置が求められている。
【課題を解決するための手段】
【０００７】
本実施の形態の一観点によれば、プリンタ本体部と、前記プリンタ本体部に回転軸を中心に回転可能な状態で取り付けられた支持部と、前記支持部に設けられたプラテンユニットと、前記プラテンユニットに設けられているプラテンローラと、前記プラテンローラを回転可能な状態で支持する軸受と、を有し、前記軸受には突起部が設けられており、前記プリンタ本体部には、前記プラテンローラの軸受が入ることのできる開口部が設けられており、前記開口部の入り口には、凸部が設けられており、前記プリンタ本体部に前記プラテンユニットが入っている状態においては、前記軸受における突起部と前記プリンタ本体部における凸部とが接触しているものであって、前記突起部と前記凸部との接触を外す際に、前記軸受を回転させる回転方向と、前記プリンタ本体部より前記プラテンユニットを出す際に、前記回転軸を中心に前記支持部を回転させる回転方向が、同じ回転方向であることを特徴とする。
【０００８】
また、本実施の形態の他の一観点によれば、プリンタ本体部と、前記プリンタ本体部に回転軸を中心に回転可能な状態で取り付けられた支持部と、前記支持部に設けられたプラテンユニットと、前記プラテンユニットに設けられているプラテンローラと、前記プラテンローラを回転可能な状態で支持する軸受と、を有し、前記軸受には突起部が設けられており、前記プリンタ本体部には、前記プラテンローラの軸受が入ることのできる開口部が設けられており、前記開口部の入り口には、凸部が設けられており、前記プリンタ本体部に前記プラテンユニットが入っている状態においては、前記軸受における突起部と前記プリンタ本体部における凸部とが接触しているプリンタ装置の操作方法において、前記軸受を回転させることにより、前記突起部と前記凸部との接触を外す第１の工程と、前記突起部と前記凸部との接触を外した後、前記回転軸を中心に前記支持部を回転させることにより、前記プリンタ本体部より前記プラテンユニットを出す第２の工程と、を有し、前記第１の工程における前記軸受を回転させる回転方向と、前記第２の工程における前記回転軸を中心に前記支持部を回転させる回転方向とは、同じ回転方向であることを特徴とする。
【発明の効果】
【０００９】
本発明によれば、簡単な構造であって、人為的には蓋部の開閉が容易に行うことができるが、衝撃や振動等により蓋部が開くことのない構造のプリンタ装置を提供することができる。
【図面の簡単な説明】
【００１０】
【図１】第１の実施の形態におけるプリンタ装置の構造図（１）
【図２】第１の実施の形態におけるプリンタ装置の構造の要部拡大図（１）
【図３】第１の実施の形態におけるプリンタ装置のプラテンローラ及び軸受の斜視図
【図４】第１の実施の形態におけるプリンタ装置の構造図（２）
【図５】第１の実施の形態におけるプリンタ装置の構造の要部拡大図（２）
【図６】第１の実施の形態におけるプリンタ装置の構造図（３）
【図７】第１の実施の形態におけるプリンタ装置の構造の要部拡大図（３）
【図８】他のプリンタ装置の開閉方向の説明図（１）
【図９】他のプリンタ装置の開閉方向の説明図（２）
【図１０】第２の実施の形態におけるプリンタ装置の構造図
【図１１】第３の実施の形態におけるプリンタ装置の構造図
【発明を実施するための形態】
【００１１】
本発明を実施するための形態について、以下に説明する。尚、同じ部材等については、同一の符号を付して説明を省略する。
【００１２】
〔第１の実施の形態〕
（プリンタ装置）
第１の実施の形態におけるプリンタ装置について説明する。図１及び図２に示されるように、本実施の形態におけるプリンタ装置は、プリンタ本体部１０とプリンタ本体部１０に回転軸２０ａを中心に回転可能な状態で取り付けられた支持部２０を有している。本実施の形態においては、蓋部は支持部２０に取り付けられているが、便宜上図面等においては、省略されているものとする。尚、本実施の形態におけるプリンタ装置では、蓋部がなくとも、支持部２０が設けられていればよい。また、図１及び図２は、本実施の形態におけるプリンタ装置において蓋が閉じている状態を示すものであり、記録紙に印字が可能な状態を示している。図１は、本実施の形態におけるプリンタ装置の構造の概略を示すものであり、図２は、このプリンタ装置の構造の要部拡大図である。
【００１３】
プリンタ本体部１０には、不図示のサーマルヘッドが取り付けられており、支持部２０には、プラテンユニット３０が取り付けられている。プラテンユニット３０には、プラテンローラ３１が回転軸３１ａを中心に回転可能な状態で取り付けられている。具体的には、図３に示すように、プラテンローラ３１は、プラテンローラ３１の両端近傍において、軸受３２を介して、プラテンユニット３０に取り付けられている。軸受３２には、プラテンローラ３１の回転軸３１ａの中心からの距離が、他の部分より長く形成されている突起部３２ａが設けられている。また、プラテンユニット３０には、不図示の記録紙の交換等を行う際に用いられる操作レバー３３が設けられている。軸受３２は、ロックされた状態においては、プリンタ本体部１０のフレームに設けられた略Ｕ字状の開口部１１に入り固定されている。具体的には、プリンタ本体部１０のフレームには、開口部１１の入り口近傍に凸部１２が設けられており、凸部１２に軸受３２の突起部３２ａが接触した状態でロックされ固定されている。この状態において、不図示のサーマルヘッドによる印字が可能となる。
【００１４】
次に、本実施の形態におけるプリンタ装置の開閉動作について説明する。開閉動作は、記録紙等を交換する場合等に行われる。具体的には、図１及び図２に示される状態から操作レバー３３を矢印Ａに示す方向、即ち、時計回りの方向に動かす。これにより、図４及び図５に示されるように、軸受３２が回転し、不図示のサーマルヘッド等とプラテンローラ３１とがロックされている状態が解除される。本実施の形態においては、この工程を第１の工程と記載する場合がある。
【００１５】
次に、図６及び図７に示されるように、矢印Ｂに示す方向、即ち、時計回りの方向に、回転軸２０ａを中心に支持部２０を回転させる。これにより、軸受３２は、プリンタ本体部１０のフレームにおける開口部１１より抜け出させることができ、プラテンユニット３０はプリンタ本体部１０から離れる。本実施の形態においては、この工程を第２の工程と記載する場合がある。これにより、記録紙等を交換することが可能な状態となる。
【００１６】
本実施の形態においては、ロックを解除する動作においては、操作レバー３３を矢印Ａに示す時計回りの方向に動かし、プラテンユニット３０をプリンタ本体部１０より離す動作においては、回転軸２０ａを中心に支持部２０を矢印Ｂに示す時計回りの方向に動かす。このように、本実施の形態におけるプリンタ装置においては、ロックを解除する動作と、プラテンユニット３０をプリンタ本体部１０より離す動作とは、動かす方向が時計回りの回転方向で同じである。よって、ロックを解除する動作から、プラテンユニット３０をプリンタ本体部１０より離す動作までを一旦止める等することなく連続的に行うことができ、支持部２０に取り付けられている不図示の蓋部の開閉動作を容易に行うことができる。この際、これらの一連の動作は、操作レバー３３に力を加えることにより行ってもよい。
【００１７】
また、図１及び図２に示されるように、ロックされている状態においては、プリンタ本体部１０のフレームの凸部１２にプラテンローラ３１の軸受３２の突起部３２ａが接触し固定されている。よって、衝撃や振動等により支持部２０が動くことはなく、よって、支持部２０に取り付けられた蓋部が開くことはない。
【００１８】
ところで、上述した本実施の形態におけるプリンタ装置は、ロックを解除する動作と、プラテンユニット３０をプリンタ本体部１０より離す動作とは、動かす方向が時計回りの方向で同じであるものである。しかしながら、ロックを解除する動作と、プラテンユニット３０をプリンタ本体部１０より離す動作とが逆方向の場合には、ロックを解除する動作と、プラテンユニット３０をプリンタ本体部１０より離す動作との間で、移動方向を反転させる必要がある。この場合には、蓋部の開閉動作の操作に手間取る。
【００１９】
具体的に、図８に示されるように、プリンタ本体部９１０とプリンタ本体部９１０に回転軸９２０ａを中心に回転可能な状態で取り付けられた支持部９２０を有している。蓋部は支持部９２０に取り付けられているが、便宜上図面等においては、省略されている。
【００２０】
プリンタ本体部９１０には、不図示のサーマルヘッドが取り付けられており、支持部９２０には、プラテンユニット９３０が取り付けられている。プラテンユニット９３０には、プラテンローラ９３１が回転軸９３１ａを中心に回転可能な状態で取り付けられている。プラテンローラ９３１は、プラテンローラ９３１の両端近傍において、軸受９３２を介して、プラテンユニット９３０に取り付けられている。軸受９３２には、プラテンローラ９３１の回転軸９３１ａの中心からの距離が、他の部分より長く形成されている突起部９３２ａが設けられている。また、プラテンユニット９３０には、不図示の記録紙の交換等を行う際に用いられる操作レバー９３３が設けられている。軸受９３２は、ロックされた状態においては、プリンタ本体部９１０のフレームに設けられた略Ｕ字状の開口部９１１に入り固定されている。具体的には、プリンタ本体部９１０のフレームには、開口部９１１の入り口近傍に凸部９１２が設けられており、凸部９１２に軸受９３２の突起部９３２ａが接触した状態でロックされ固定されている。この状態において、不図示のサーマルヘッドによる印字が可能となる。
【００２１】
図８に示されるプリンタ装置において、例えば、不図示の蓋部を開くため、支持部９２０を持ち上げる際には、最初に、操作レバー９３３を矢印Ｃに示す方向、即ち、反時計回りの方向に動かすことによりロックを解除する。これにより、図９に示されるように、プリンタ本体部９１０のフレームに設けられた凸部９１２とプラテンローラ９３１の軸受９３２における突起部９３２ａとの接触が離れロックが解除される。次に、一旦動きを停止させた後、回転軸９２０ａを中心に、支持部９２０を矢印Ｄに示す方向、即ち、時計回りの方向に動かすことにより、プリンタ本体部９１０よりプラテンユニット９３０を取り外すことができる。この場合においては、ロックを解除する動作と、プラテンユニット９３０をプリンタ本体部９１０より離す動作とは、動かす方向が異なる。従って、ロックを解除する動作として操作レバー９３３を動かした後、プラテンユニット９３０をプリンタ本体部９１０より離す動作を行う際には、動きを一旦停止させた後、動かす方向を反転させる必要がある。このため、蓋部の開閉動作の操作に時間を要し、手間取る。
【００２２】
また、ロックを解除する動作の際には操作レバー９３３を動かして行うが、プラテンユニット９３０をプリンタ本体部９１０より離す動作を行う際に、操作レバー９３３に時計回りの方向に力を加えて動かすと、逆にロックがかかってしまう。このため、プラテンユニット９３０をプリンタ本体部９１０より離す動作を行う際には、操作レバー９３３以外の部分に力を加えて支持部９２０を動かす必要があり、更に、開閉動作の操作に時間を要し手間取る。
【００２３】
本実施の形態におけるプリンタ装置においては、このようなことがないため、開閉動作を手間取ることなく円滑に行うことができる。尚、上記の図１から図７においては、時計回りの方向に動かす場合について説明したが、ロックを解除する動作と、プラテンユニット３０をプリンタ本体部１０より離す動作とは、動かす方向が同じであればよく、ともに、反時計回りの方向であってもよい。
【００２４】
〔第２の実施の形態〕
次に、第２の実施の形態について説明する。本実施の形態におけるプリンタ装置は、図１０に示されるように、プリンタ本体部１０にバネ１１３が設けられている構造のものである。バネ１１３は、軸受３２を開口部１１より外に出す方向に付勢力が働いている。従って、プリンタ本体部１０のフレームに設けられた凸部１２とプラテンローラ３１の軸受３２における突起部３２ａとの接触が離れロックが解除された際に、バネ１１３の付勢力により、軸受３２を開口部１１の外側に出る方向に力が加わる。これにより、プラテンユニット３０をプリンタ本体部１０より離す動作をより円滑に行うことができる。尚、上記以外の内容については、第１の実施の形態と同様である。
【００２５】
〔第３の実施の形態〕
次に、第３の実施の形態について説明する。本実施の形態におけるプリンタ装置は、図１１に示されるように、支持部２０と軸受３２との間に、弦巻バネ２１３等を設けた構造のものである。弦巻バネ２１３の一方の端部は軸受３２の突起部３２ａの近傍における接続部２３０において接続されており、弦巻バネ２１３の他方の端部は支持部２０における接続部２２０において接続されている。尚、図１１に示す状態においては、弦巻バネ２１３は、バネが伸びる方向に付勢力、即ち、バネが伸びる方向の復元力が働いている。これにより、より一層、ロックが解除されにくいため、衝撃や振動等により蓋部が開いてしまうことをより一層抑制することができる。
【００２６】
以上、本発明の実施に係る形態について説明したが、上記内容は、発明の内容を限定するものではない。
【符号の説明】
【００２７】
１０        プリンタ本体部
１１        開口部
１２        凸部
２０        支持部
２０ａ      回転軸
３０        プラテンユニット
３１        プラテンローラ
３２        軸受
３２ａ      突起部
３３        操作レバー
【図１】
2014200932.tif 000003
【図２】
2014200932.tif 000004
【図３】
2014200932.tif 000005
【図４】
2014200932.tif 000006
【図５】
2014200932.tif 000007
【図６】
2014200932.tif 000008
【図７】
2014200932.tif 000009
【図８】
2014200932.tif 000010
【図９】
2014200932.tif 000011
【図１０】
2014200932.tif 000012
【図１１】
2014200932.tif 000013